(57)【要約】クランク軸の一端に接続された駆動プーリとクランク軸に平行な変速軸の一端に接続された従動プーリとにＶベルトを巻回するとともに変速機ケース内に収容してなるＶベルト式無段変速機を上記クランク軸及び変速軸を回転可能に支持するエンジンケースの一側に備え、発電機を上記クランク軸の他端のエンジンケース内部分に装着したエンジンにおいて、上記エンジンケースの上記変速機ケースと反対側の側面にフィルタ室を、該フィルタ室のクランク軸方向位置が上記発電機と少なくともその一部において重なるように凹設し、該フィルタ室内に潤滑油を濾過するオイルフィルタを配設した。
2003085241.tif 000002
【特許請求の範囲】
【請求項１】
クランク軸の一端に接続された駆動プーリとクランク軸に平行な変速軸の一端に接続された従動プーリとにＶベルトを巻回するとともに変速機ケース内に収容してなるＶベルト式無段変速機を上記クランク軸及び変速軸を回転可能に支持するエンジンケースの一側に備え、発電機を上記クランク軸の他端のエンジンケース内部分に装着したエンジンにおいて、上記エンジンケースの上記変速機ケースと反対側の側面にフィルタ室を、該フィルタ室のクランク軸方向位置が上記発電機と少なくともその一部において重なるように凹設し、該フィルタ室内に潤滑油を濾過するオイルフィルタを配設したことを特徴とするエンジン。
【請求項２】
請求項１において、上記フィルタ室は、上記クランク軸及び変速軸の軸心を含む第１平面より下方に設けられていることを特徴とするエンジン。
【請求項３】
請求項１又は２において、上記フィルタ室は、上記第１平面と直交しかつクランク軸の軸心を含む第２平面と、上記第１平面と直交しかつ変速軸の軸心を含む第３平面との間に設けられていることを特徴とするエンジン。
【請求項４】
請求項１ないし３の何れかにおいて、クラッチ機構を、クランク軸方向位置が上記クランク軸のクランクアームと少なくともその一部において重なるように上記変速軸に装着し、かつ上記フィルタ室を、その軸線が上記クラッチ機構の下縁近傍に位置し、クランク軸方向位置が上記クラッチ機構から離反するように配置したことを特徴とするエンジン。
【請求項５】
請求項１ないし４の何れかにおいて、上記エンジンケースに接続されたシリンダの排気口に接続された排気管が、上記変速機ケースの下方でかつ上記エンジンケースの底部側方を通って車両後方に延びていることを特徴とするエンジン。
【請求項６】
請求項１ないし５の何れかにおいて、潤滑油を貯留する潤滑油室がクランク室下方にかつ変速機ケース側に偏位させて配設され、上記フィルタ室は、クランク軸方向に見た時上記潤滑油室と少なくともその一部が重なっていることを特徴とするエンジン。
【請求項７】
クランク軸の一端に接続された駆動プーリとクランク軸に平行な変速軸の一端に接続された従動プーリとにＶベルトを巻回するとともに変速機ケース内に収容してなるＶベルト式無段変速機をエンジンケースの一側に備え、クラッチ機構を上記変速軸のエンジンケース内部分に装着するとともに該クラッチ機構の出力側に出力軸を配設したエンジンにおいて、キック軸を上記変速機ケースの反対側にかつ上記クランク軸と平行に配置し、さらに該キック軸を上記クランク軸方向に見た時上記変速軸及び出力軸より下方でかつ上記従動プーリ又はクラッチ機構の少なくとも一方と重なるように位置させたことを特徴とするエンジン。
【請求項８】
請求項７において、上記変速軸と上記出力軸は同軸をなすように配置されており、上記キック軸は上記出力軸の略真下に位置し、上記従動プーリ及びクラッチ機構の両方と重なっていることを特徴とするエンジン。
【請求項９】
請求項８において、上記キック軸に装着されたキックギヤを中間軸の一端に装着された第１中間ギヤに噛合可能とし、該中間軸の他端に装着された第２中間ギヤを上記クランク軸に装着されたクランクギヤに噛合させ、上記キックギヤ及び第１中間ギヤは上記クランク軸の上記変速機ケースと反対側のジャーナル部を支持する支持壁部の内側に配置され、上記第２中間ギヤ及びクランクギヤは上記支持壁部の外側に配置されていることを特徴とするエンジン。
【請求項１０】
クランク軸の一端に接続された駆動プーリとクランク軸に平行な変速軸の一端に接続された従動プーリとにＶベルトを巻回するとともに変速機ケース内に収容してなるＶベルト式無段変速機をエンジンケースの一側に備えたエンジンにおいて、潤滑油を貯留する潤滑油室を、そのクランク軸方向中心が気筒軸線を通るエンジン中心線より上記変速機ケース側に偏位するように配置し、キック軸の回転を上記クランク軸に伝達するキックギヤ列，上記クランク軸の回転を潤滑油ポンプに伝達するポンプギヤ列，始動モータの回転を上記クランク軸に伝達するセルギヤ列，及びクランク軸の回転をバランサ軸に伝達するバランサギヤ列の少なくとも１組を、上記エンジンケースの上記潤滑油室より反変速機ケース側に偏位させて配置したことを特徴とするエンジン。
【請求項１１】
請求項１０において、上記クランク軸の上記変速機ケースと反対側のジャーナル部を支持する支持壁部により上記潤滑油室の反変速機ケース側の側壁が構成されており、上記キックギヤ列，ポンプギヤ列，セルギヤ列及びバランサギヤ列の少なくとも１組が上記支持壁部に沿って配置されていることを特徴とするエンジン。
【請求項１２】
請求項１１において、上記潤滑油室は、上記エンジンケースのクランク室下方から上記変速機ケース下方に渡る領域に位置していることを特徴とするエンジン。
【請求項１３】
請求項１１又は１２において、上記クランク軸の反変速機ケース側端部には発電機が装着されており、上記キックギヤ列，ポンプギヤ列，セルギヤ列及びバランサギヤ列の少なくとも１組は、上記発電機と上記支持壁部との間を通ってクランク軸に連結されていることを特徴とするエンジン。
【請求項１４】
請求項１０ないし１３の何れかにおいて、上記エンジンケースの上記変速機ケースと反対側の側面にフィルタ室を、該フィルタ室のクランク軸方向位置が上記クランク軸の反変速機ケース側端部に装着された発電機と少なくともその一部において重なるように凹設し、該フィルタ室内に潤滑油を濾過するオイルフィルタを配設したことを特徴とするエンジン。
【請求項１５】
請求項１４において、上記フィルタ室は、その少なくとも一部がクランク軸方向に見た時上記何れかのギヤ列と重なるように配置されていることを特徴とするエンジン。
【請求項１６】
請求項１０ないし１３の何れかにおいて、上記キックギヤ列は、キック軸に装着されたキックギヤを中間軸の一端に装着された第１中間ギヤに噛合可能とし、該中間軸の他端に装着された第２中間ギヤを上記クランク軸に装着されたクランクギヤに噛合させてなり、上記キックギヤ及び第１中間ギヤは上記支持壁部の内側に配置され、上記第２中間ギヤ及びクランクギヤは上記支持壁部の外側に配置されていることを特徴とするエンジン。
【請求項１７】
請求項１１ないし１３の何れかにおいて、上記ポンプギヤ列は、上記クランク軸の上記支持壁部と上記発電機との間に装着されたクランクギヤの回転を中間ギヤを介してポンプギヤに伝達するように構成されており、該ポンプギヤは上記支持壁部の上記潤滑油室の側壁を構成する部位に装着された潤滑油ポンプの回転軸に装着されていることを特徴とするエンジン。
【発明の詳細な説明】
技術分野
本発明は、例えば自動二輪車用に好適のエンジン、特にエンジンケースのクランク軸方向一側にＶベルト式の無段変速機構を収容する変速機ケースを備えたエンジンに関する。
背景技術
例えば、自動二輪車用エンジンでは、エンジンケースのクランク軸方向一側に、Ｖベルト式無段変速機構を変速機ケース内に収容してなる無段変速機を備える場合がある。このようなエンジンにおいては、エンジンケースの一側が変速機ケースで占められているため、例えば潤滑系統を構成する部品や始動装置を構成する部品等のエンジン付属部品の配置構造の如何によってはエンジンの幅方向寸法又は前後方向寸法が大型化するといった問題が懸念される。
上記Ｖベルト式無段機構を備えたエンジンにおける、潤滑系統を構成する部品、例えばオイルフィルタの配置構造として、従来、エンジンケースの側壁にオイルフィルタを突出させてかつ着脱可能に取り付ける構造がある（例えば特開２００２−０２１９８９号公報参照）。また始動装置を構成するキック軸の配置構造として、従来、キック軸を変速機ケースの反対側で、かつ駆動プーリと従動プーリの間に位置させたものがある（例えば特開平５−２１３２６２号公報参照）。
ところが、特許文献１に記載されているオイルフィルタ配置構造では、オイルフィルタがエンジンケースの前壁から前方に、又は側壁から側方に突出しているため、それだけエンジンの前後方向寸法又は幅方向寸法が大きくなるといった問題がある。
また上記特許文献２に記載されているキック軸配置構造では、キック軸の回転をクランク軸に伝達する機構が、エンジンケースの発電機より幅方向外側部分に配置されているため、エンジンの幅方向寸法が大きくなるといった問題がある。
本発明は、上記従来の状況に鑑みてなされたもので、エンジンケースの一側に変速機ケースを備える場合において、エンジンの前後方向寸法や幅方向寸法の大型化を回避できるエンジンを提供することを目的としている。
発明の開示
請求項１の発明は、クランク軸の一端に接続された駆動プーリとクランク軸に平行な変速軸の一端に接続された従動プーリとにＶベルトを巻回するとともに変速機ケース内に収容してなるＶベルト式無段変速機を上記クランク軸及び変速軸を回転可能に支持するエンジンケースの一側に備え、発電機を上記クランク軸の他端のエンジンケース内部分に装着したエンジンにおいて、上記エンジンケースの上記変速機ケースと反対側の側面にフィルタ室を、該フィルタ室のクランク軸方向位置が上記発電機と少なくともその一部において重なるように凹設し、該フィルタ室内に潤滑油を濾過するオイルフィルタを配設したことを特徴としている。
ここで発明におけるエンジンケースとは、クランク軸を収容するクランクケース，クラッチ機構を収容するクラッチケース，及び発電機を収容する発電機ケース等を総称しており、これらの各ケースはその一部又は全部が一体形成され、あるいは別体形成されている。
請求項２の発明は、請求項１において、上記フィルタ室は、上記クランク軸及び変速軸の軸心を含む第１平面より下方に設けられていることを特徴としている。
請求項３の発明は、請求項１又は２において、上記フィルタ室は、上記第１平面と直交しかつクランク軸の軸心を含む第２平面と、上記第１平面と直交しかつ変速軸の軸心を含む第３平面との間に設けられていることを特徴としている。
請求項４の発明は、請求項１ないし３の何れかにおいて、クラッチ機構を、クランク軸方向位置が上記クランク軸のクランクアームと少なくともその一部において重なるように上記変速軸に装着し、かつ上記フィルタ室を、その軸線が上記クラッチ機構の下縁近傍に位置し、クランク軸方向位置が上記クラッチ機構から離反するように配置したことを特徴としている。
請求項５の発明は、請求項１ないし４の何れかにおいて、上記エンジンケースに接続されたシリンダの排気口に接続された排気管が、上記変速機ケースの下方でかつ上記エンジンケースの底部側方を通って車両後方に延びていることを特徴としている。
請求項６の発明は、請求項１ないし５の何れかにおいて、潤滑油を貯留する潤滑油室がクランク室下方にかつ変速機ケース側に偏位させて配設され、上記フィルタ室は、クランク軸方向に見た時上記潤滑油室と少なくともその一部が重なっていることを特徴としている。
請求項７の発明は、請求項１と同様のエンジンにおいて、キック軸を上記変速機ケースの反対側にかつ上記クランク軸と平行に配置し、さらに該キック軸をクランク軸方向に見た時上記変速軸及び出力軸より下方でかつ上記従動プーリ又はクラッチ機構の少なくとも一方と重なるように位置させたことを特徴としている。
請求項８の発明は、請求項７において、上記変速軸と上記出力軸は同軸をなすように配置されており、上記キック軸は上記出力軸の略真下に位置し、上記従動プーリ及びクラッチ機構の両方と重なっていることを特徴としている。
請求項９の発明は、請求項８において、上記キック軸に装着されたキックギヤを中間軸の一端に装着された第１中間ギヤに噛合可能とし、該中間軸の他端に装着された第２中間ギヤを上記クランク軸に装着されたクランクギヤに噛合させ、上記キックギヤ及び第１中間ギヤは上記クランク軸の上記変速機ケースと反対側のジャーナル部を支持する支持壁部の内側に配置され、上記第２中間ギヤ及びクランクギヤは上記支持壁部の外側に配置されていることを特徴としている。
請求項１０の発明は、請求項１と同様のエンジンにおいて、潤滑油を貯留する潤滑油室を、そのクランク軸方向中心が気筒軸線を通るエンジン中心線より上記変速機ケース側に偏位するように配置し、キック軸の回転を上記クランク軸に伝達するキックギヤ列，上記クランク軸の回転を潤滑油ポンプに伝達するポンプギヤ列，始動モータの回転を上記クランク軸に伝達するセルギヤ列，及びクランク軸の回転をバランサ軸に伝達するバランサギヤ列の少なくとも１組を、上記エンジンケースの上記潤滑油室より反変速機ケース側に偏位させて配置したことを特徴としている。
請求項１１の発明は、請求項１０において、上記クランク軸の上記変速機ケースと反対側のジャーナル部を支持する支持壁部により上記潤滑油室の反変速機ケース側の側壁が構成されており、上記キックギヤ列，ポンプギヤ列，セルギヤ列及びバランサギヤ列の少なくとも１組が上記他側支持壁部に沿って配置されていることを特徴としている。
請求項１２の発明は、請求項１１において、上記潤滑油室は、上記エンジンケースのクランク室下方から上記変速機ケース下方に渡る領域に位置していることを特徴としている。
請求項１３の発明は、請求項１１又は１２において、上記クランク軸の反変速機ケース側端部には発電機が装着されており、上記キックギヤ列，ポンプギヤ列，セルギヤ列及びバランサギヤ列の少なくとも１組は、上記発電機と上記支持壁部との間を通ってクランク軸に連結されていることを特徴としている。
請求項１４の発明は、請求項１０ないし１３の何れかにおいて、上記エンジンケースの上記変速機ケースと反対側の側面にフィルタ室を、該フィルタ室のクランク軸方向位置が上記クランク軸の反変速機ケース側端部に装着された発電機と少なくともその一部において重なるように凹設し、該フィルタ室内に潤滑油を濾過するオイルフィルタを配設したことを特徴としている。
請求項１５の発明は、請求項１４において、上記フィルタ室は、その少なくとも一部がクランク軸方向に見た時上記何れかのギヤ列と重なるように配置されていることを特徴としている。
請求項１６の発明は、請求項１０ないし１３の何れかにおいて、上記キックギヤ列は、キック軸に装着されたキックギヤを中間軸の一端に装着された第１中間ギヤに噛合可能とし、該中間軸の他端に装着された第２中間ギヤを上記クランク軸に装着されたクランクギヤに噛合させてなり、上記キックギヤ及び第１中間ギヤは上記支持壁部の内側に配置され、上記第２中間ギヤ及びクランクギヤは上記支持壁部の外側に配置されていることを特徴としている。
請求項１７の発明は、請求項１１ないし１３の何れかにおいて、上記ポンプギヤ列は、上記クランク軸の上記支持壁部と上記発電機との間に装着されたクランクギヤの回転を中間ギヤを介してポンプギヤに伝達するように構成されており、該ポンプギヤは上記支持壁部の上記潤滑油室の側壁を構成する部位に装着された潤滑油ポンプの回転軸に装着されていることを特徴としている。
発明を実施するための最良の形態
以下、本発明の実施の形態を添付図面に基づいて説明する。
図１ないし図１６は、本発明の一実施形態による自動二輪車用エンジンを説明するための図であり、図１は本実施形態エンジンが搭載された自動二輪車の左側面図、図２はエンジンを展開状態で示す断面平面図（図６のＩＩ−ＩＩ線断面図）、図３はエンジンの無段変速機構，遠心クラッチ機構部分の断面平面図、図４，図５はエンジンの右側面図，左側面図、図６はエンジンの無段変速機構，遠心クラッチ機構を取り外した状態の右側面図、図７はクランクケースの右側面図、図８はクランクケースの断面平面図（図５のＶＩＩＩ−ＶＩＩＩ線断面図）、図９はエンジンのキック装置の断面平面図（図５のＩＸ−ＩＸ線断面図）、図１０はキック軸周りの断面平面図、図１１はエンジンの潤滑油経路を示す断面平面図、図１２，図１３は遠心クラッチ機構の断面図，側面図、図１４，図１５は遠心クラッチ機構の要部の拡大断面図、図１６はクランクケースの左側面図である。なお、本実施形態でいう前後，左右とはシートに着座した状態で見た前後，左右を意味する。
図において、１は本実施形態エンジン２が搭載された自動二輪車を示しており、これは車体フレーム１ａの前端に固着されたヘッドパイプ３により前輪４が軸支されたフロントフォーク５を左右回動可能に枢支し、中央部に固着されたリヤアームブラケット６より後輪７が軸支されたリヤアーム８を上下揺動可能に枢支し、上記車体フレーム１ａの上部に運転者用シート部９ａと後部乗員用シート部９ｂとからなるシート９を配置した概略構造を有している。
上記車体フレーム１ａはヘッドパイプ３から斜め下方に延びる左，右のダウンチューブ１ｂと該各ダウンチューブ１ｂの後端に続いて斜め上方に延びる左，右のアッパチューブ１ｃと、ダウンチューブ１ｂとアッパチューブ１ｃとに前後方向に架け渡して接合された左右のシートレール１ｄとからなる。また上記車体フレーム１ａはフロントカバー１０ａ，レッグシールド１０ｂ，サイドカバー１０ｃ等からなる樹脂製の車体カバー１０により囲まれている。
上記フロントフォーク５の上端には操向ハンドル１１が固定されており、該操向ハンドル１１はハンドルカバー１１ａにより囲まれている。また上記リヤアーム８とリヤアームブラケット６との間にはリヤクッション１２が架設されている。
上記エンジン２は空冷式４サイクル単気筒エンジンであり、上記ダウンチューブ１ｂの後下部に気筒軸線Ａを前方に約４５度傾斜させて懸架支持されている。このエンジン２は、エンジン本体１５とＶベルト式無段変速機１６とを備え、エンジン本体１５のエンジンケース内には湿式多板式遠心クラッチ機構１７及び減速歯車機構１８が収容されている。
上記エンジン本体１５は、シリンダブロック１９の上合面にシリンダヘッド２０を接続するとともに、該シリンダヘッド２０の上側にヘッドカバー２１を設け、上記シリンダブロック１９の下合面にクランク軸２８が収納されたクランクケース２２を接続し、該クランクケース２２の左側に発電機ケース４４を装着した概略構造となっている。本実施形態では、上記クランクケース２２と発電機ケース４４とでエンジンケースが構成されている。
上記シリンダヘッド２０の後面には燃焼凹部２０ａに連通する吸気ポート２０ｂが開口しており、該吸気ポート２０ｂには吸気管２３ａを介して気化器２３が接続されている。また上記シリンダヘッド２０の前面には燃焼凹部２０ａに連通する排気ポート２０ｃが開口しており、該排気ポート２０ｃには排気管２４が接続されている。この排気管２４は、エンジン右下側に向かって斜め下方に延び、後述する変速機ケース４５の下側でかつ潤滑油室膨出部２２ｂの右外側を通り、車体の右側方を通って斜め後方に延びており、上記後輪７の右側方に配設されたマフラ２５に接続されている。上記燃焼凹部２０ａ内にはエンジン右側から斜め下方に向けて螺挿された点火プラグ３０の電極が位置している。
上記シリンダブロック１９の左側部にはクランクケース２２内とシリンダヘッド２０内とを連通するチェーン室１９ａが形成されている。このチェーン室１９ａには上記クランク軸２８によりカム軸３１を回転駆動するタイミングチェーン３４が配設されており、このカム軸３１により吸気バルブ３２，排気バルブ３３が開閉駆動される。
上記シリンダブロック１９のシリンダボア内にはピストン２６が摺動自在に挿入配置されている。該ピストン２６にはコンロッド２７の小端部２７ｂが連結され、該コンロッドの大端部２７ａは上記クランク軸２８の左右のクランクアーム２８ａ，２８ｂ間に圧入されたクランクピン２９にニードル軸受を介して連結されている。
上記クランク軸２８の後方には変速軸４７が該クランク軸２８と平行に配置されており、該変速軸４７の軸方向左側には出力軸４８が同軸をなすよう配置されている。この出力軸４８のクランクケース外方に突出する左端部には駆動スプロケット４９が装着されており、該駆動スプロケット４９はチェーン５０を介して上記後輪７の従動スプロケット５１に連結されている。
上記クランク軸２８の変速機ケース４５の反対側に位置する左側端部には発電機４２が装着されている。この発電機４２はクランク軸２８にテーパ嵌合されたスリーブ４３にロータ４２ａを固着するとともに、該ロータ４２ａ内にステータ４２ｂを径方向に対向すくように配置し、該ステータ４２ｂを発電機ケース４４のクランク軸と同軸をなすボス部４２ｃに固定した構造となっている。
上記クランクケース２２はクランク軸方向左側の第１ケース４０と右側の第２ケース４１とに分割されている。この第１ケース４０のクランク軸方向左側に上記発電機４２を収容する上記発電機ケース４４が着脱可能に装着されており、上記第２ケース４１のクランク軸方向右側に上記無段変速機１６の収容ケースである変速機ケース４５が装着されている。
上記第１，第２ケース４０，４１の分割線Ｂは気筒軸線（エンジン中心線）Ａより若干左側に偏位している。この第１，第２ケース４０，４１は概ねクランク軸方向外側に向かって開口する第１，第２外周壁４０ａ，４１ａの内側にクランク軸２８を支持する第１支持壁４０ｂ、第２支持壁４１ｂを一体形成した概略構造を有している。
上記第１ケース４０の第１支持壁４０ｂは、クランク軸２８の左クランクジャーナル部２８ｃを左側ジャーナル軸受３５を介して支持する左ジャーナル支持壁部４０ｃと、該左ジャーナル支持壁部４０ｃに対してクランク軸方向左側に段付き状に膨出形成された減速機構支持壁部４０ｄとを有している。
また上記第２ケース４１の第２支持壁４１ｂは、クランク軸２８の右クランクジャーナル部２８ｄを右側ジャーナル軸受３６を介して支持する右ジャーナル支持壁部４１ｃと、該右ジャーナル支持壁部４１ｃに対してクランク軸方向左側に段付き状に膨出形成されたクラッチ支持壁部４１ｄとを有している。
そして上記左，右ジャーナル支持壁部４０ｃ，４１ｃにより形成されたクランク室３７内に上記クランク軸２８のクランクアーム２８ａ，２８ｂ及びクランクピン２９が収容されている。
また上記第２外周壁４１ａ及びクラッチ支持壁部４１ｄにより形成されたクラッチ室３８内に上記遠心クラッチ機構１７が収容されている。このクラッチ室３８は上記クランク室３７と画成されており、かつ後述する開口１０３により連通している。
さらに上記減速機構支持壁部４０ｄとクラッチ支持壁部４１ｄにより形成された減速室３９内に上記減速歯車機構１８が収容され、該減速室３９は上記クランク室３７と画成されることなくそのまま連通している。
上記減速歯車機構１８は以下の構造を有する。上記支持壁部４０ｄ，４１ｄ間に変速軸４７と平行に減速軸５２を架設するとともに、該減速軸５２の右側部を減速軸受５３を介して上記クラッチ支持壁部４１ｄにより軸支し、左端部を減速軸受５４を介して上記減速機構支持壁部４０ｄに形成された凹部４０ｅにより軸支する。またクラッチ室３８内に位置する変速軸４７に相対回転可能に装着された一次減速小ギヤ７４に噛合する一次減速大ギヤ７５を上記減速軸５２のクラッチ室３８内部分にキー嵌合により結合し、該減速軸５２の上記減速室３９内部分に一体形成された二次減速小ギヤ５２ａを上記出力軸４８に一体形成された二次減速小ギヤ５２ａに噛合させた構造となっている。
上記出力軸４８は変速軸４７と同一軸線上に配設されている。この出力軸４８の右端部には上記変速軸４７の左端部が挿入される支持孔４８ｂが凹設されており、該支持孔４８ｂ内に装着された軸受７６を介して該出力軸４８の右端部は変速軸４７の左端部で軸支されている。また上記出力軸４８の左端部は第１ケース４０の減速機構支持壁部４０ｄを貫通しており、該支持壁部４０ｄにより軸受７７を介して軸支されている。上記出力軸４８の突出端部に上記駆動スプロケット４９が固着されている。
上記Ｖベルト式無段変速機１６は、上記クランク軸２８の右外端部に駆動プーリ５５を装着するとともに、上記変速軸４７の右外端部に従動プーリ５６を装着し、該両プーリ５５，５６をＶベルト５７を巻回して連結した構造となっている。
上記Ｖベルト５７は耐熱性，耐久性を有する樹脂製のものであり、詳細には以下の構造を有している。例えばポリアミド樹脂にカーボン繊維又はアラミド繊維を混入させて横Ｈ形状に成形してなる多数の樹脂ブロック５７ａを並べて配置し、これらを超耐熱ゴム製の環状の一対の連結部材５７ｂを嵌合させて連結したものである。
上記駆動プーリ５５は、上記クランク軸２８の右端部に固定された固定プーリ半体５５ａと、該固定プーリ半体５５ａのクランク軸方向内側に軸方向にスライド可能にかつスライドカラー５９を介してクランク軸２８と共に回転するように配設された可動プーリ半体５５ｂとを有している。上記クランク軸２８の右端部にカムプレート５８，スライドカラー５９がスプライン嵌合により装着され、これらの軸方向外側に上記固定プーリ半体５５ａが装着され、ロックナット６０により締め付け固定されている。上記可動プーリ半体５５ｂと上記カムプレート５８との間に円筒形のウエイト６１が配設されている。クランク軸２８の回転が上昇するにつれてウエイト６１が遠心力で半径方向外側に移動して可動プーリ半体５５ｂを軸方向外側に移動させ、これによりプーリの巻き掛け径が大きくなり、減速比が小さくなる。
上記従動プーリ５６は、上記変速軸４７の右外端部に固定された固定プーリ半体５６ａと、該固定プーリ半体５６ａのクランク軸方向外側に軸方向にスライド可能に配設された可動プーリ半体５６ｂとを有している。上記固定プーリ半体５６ａの軸心部に固着された円筒状のスライドカラー６２は変速軸４７にスプライン嵌合されており、このスライドカラー６２上に上記可動プーリ半体５６ｂの軸心部に固着された円筒状のボス部６３が軸方向に移動可能に装着されている。このボス部６３にスリット状に形成されたスライド溝６３ａに上記スライドカラー６２に植設されたガイドピン６４がスライド可能に、かつ該可動プーリ半体５６ｂが固定プーリ半体５６ａと共に回転するよう係合している。
上記スライドカラー６２の先端部には、環状プレートからなるばね受け部材６５がサークリップ６５ａにより装着されており、このばね受け部材６５と上記可動プーリ半体５６ｂとの間には該可動プーリ半体５６ｂを固定プーリ半体５６ａ側に常時付勢するコイルスプリング６７が介設されている。
そして上記従動プーリ５６は、上記スライドカラー６２の先端部６２ａ内に没入するように挿入配置され、上記変速軸４７の先端部４７ａに螺着されたロックナット６６より上記変速軸４７に固着されている。
ここで、上記スライドカラー６２の内径は変速軸４７の外径より段付状に大径に設定され、変速軸４７の先端部４７ａは段付状に小径に設定されている。これにより上記ロックナット６６及びワッシャ６６ａをスライドカラー６２内に支障なく挿入配置でき、このようにして上記ロックナット６６をコイルスプリング６７のばね受部材６５よりクランク軸方向内側に位置させることが可能となっている。
本実施形態によれば、変速軸４７に装着された従動プーリ５６の可動プーリ半体５６ｂを固定プーリ半体５６ａのクランク軸方向外側に配置したので、上記変速軸４７の従動プーリ５６内側部分に空きスペースを確保することができ、この空きスペースを利用して遠心クラッチ機構１７を上記固定プーリ半体５６ａに隣接するように配置することができる。これによりエンジン幅を拡大することなく上記変速軸４７の反従動プーリ５６側に出力軸４８を同軸配置することができ、その結果、従来の出力軸を変速軸の後側に配置するものに比べてエンジン前後長を短くすることができる。
本実施形態では、上記ロックナット６６を、上記可動プーリ半体５６ｂを固定プーリ半体５６ａ側に付勢するコイルスプリング６７を支持するばね受け部材６５より軸方向内側に没入させて配置したので、コイルスプリング６７の必要長さを確保しつつ簡単な構造で変速軸方向外側への出っ張りを小さくすることでき、エンジン車幅寸法の大型化を抑制できる。
即ち、例えば、図１７に示すように、変速軸２００にスライドカラー２０１の外端面をロックナット２０３により締め付け固定する構造の場合には、ロックナット２０３の分だけ変速機ケース２０４が車幅方向外側に出っ張ることとなる。これに対して本実施形態では、ロックナット６６がばね受部材６５の外端より軸方向内方に位置するので、変速機ケース４５の出っ張りをｔ（約１０ｍｍ程度）だけ小さくできる。
また上記コイルスプリング６７が軸方向外側に位置するので、コイルスプリング６７のメンテナンスや交換を行なう場合にはサークリップ６５ａを外すだけでよく、作業を容易に行なうことができる。ちなみに、可動プーリ半体を固定プーリ半体の内側に、即ちコイルスプリングを軸方向内側に配置した場合には、従動プーリ全体を取り外さなければならず作業性が低い。
上記変速機ケース４５は、上記クランクケース２２とは独立して形成された略密閉構造のものであり、右側方から見て（図４参照）、上記クランクケース２２の上側の大部分を覆う楕円形状を有している。上記変速機ケース４５は、クランク軸方向外側に開口する有底箱状のケース本体４５ａと該開口を気密に閉塞する蓋体４５ｂとからなり、ボルト７０により上記第２ケース４１に共締め固定されている。上記ケース本体４５ａは樹脂成形品であり、上記蓋体４５ｂはアルミニューム合金鋳造品である。
上記ケース本体４５ａの底壁４５ｃと第２ケース４１との間には隙間ａが設けられており、この隙間ａによりエンジン２からの熱が変速機ケース４５に伝わるのを抑制している。またケース本体４５ａを樹脂成形品としたので、この点からもエンジン２側からの熱が変速機ケース４５側に伝わるのを抑制している。
上記クラッチ室３８を形成する第２外周壁４１ａの軸方向の外側には遠心クラッチ機構１７を出し入れできる大きさを有する開口４１ｅが形成されている。この開口４１ｅにはクラッチカバー７１が油密に装着されており、該クラッチカバー７１はボルト７２により上記第２外周壁４１ａの開口縁部に着脱可能に締め付け固定されている。これにより変速機ケース４５を従動プーリ５６とともに取り外し、クラッチカバー７１を外すことによって遠心クラッチ機構１７を変速軸４７とともに取り外せるようになっている。
上記遠心クラッチ機構１７は変速軸４７の軸方向左端部，中央部に装着された一側，他側クラッチ軸受８０，８１により軸方向移動不能に位置決め挟持されている。この一側クラッチ軸受８０はクラッチ支持壁部４１ｄにより支持されており、上記他側クラッチ軸受８１は上記クラッチカバー７１により支持されている。
そして上記一側クラッチ軸受８０及び減速軸受５３を支持するクラッチ支持壁部４１ｄは、右ジャーナル軸受３６を支持する第２クランク支持壁部４１ｃよりクランク軸方向左側に偏位しており、換言すれば上記左ジャーナル軸受３５を支持する第１クランク支持壁部４０ｃと上記第２クランク支持壁４１ｃとの間に位置している。より具体的には、気筒軸線Ａ上に、あるいは気筒軸線Ａより若干分割線Ｂ寄りに位置している。
また上記他側クラッチ軸受８１を支持するクラッチカバー７１は上記右ジャーナル軸受３６を支持する第２クランク支持壁部４１ｂよりクランク軸方向右外側に位置している。さらにまた上記出力軸４８の左側軸受７７を支持する減速機構支持壁部４０ｄは左ジャーナル軸受３５を支持する第１クランク支持壁部４０ｃよりクランク軸方向左外側に位置している。
本実施形態によれば、駆動プーリ５５と従動プーリ５６とに巻回されたＶベルト５７を樹脂製のものとしたので、ベルト自体の耐熱性，耐久性をゴム製ベルトに比べて高めることができ、Ｖベルト５７の冷却を不要にできる。その結果、変速機ケース４５を密閉構造とすることが可能となり、水やほこりの進入を防止できる。
また耐久性の高い樹脂製ベルト５７を採用したことにより、駆動，従動プーリ５５，５６の外径を小さくすることが可能であり、その分だけ駆動，従動プーリ５５，５６の軸間距離を短くすることができ、エンジン全体をコンパクトにできる。
本実施形態では、変速機ケース４５をクランクケース２２から独立した密閉構造のものとしたので、両ケース２２，４５の間に生じる隙間ａによってエンジン熱が遮断されることとなり、エンジン２からの熱が変速機ケース４５に伝わり難く、ベルト室内の温度上昇を抑制できる。
上記クランクケース２２をクランク軸方向に第１，第２ケース４０，４１に分割し、第２ケース４１のクランク軸方向外側に上記変速機ケース４５を配置し、該変速機ケース４５のクランク軸方向内側近傍に遠心クラッチ機構１７を配置したので、変速軸４７の無段変速機構１６と反対側に出力軸４８を同軸配置することができ、エンジン２の幅寸法の拡大を抑えつつ前後方向寸法を小さくすることができる。
また上記遠心クラッチ機構１７を変速軸４７に装着された一側，他側クラッチ軸受８０，８１により挟持したので、別部品を用いることなく簡単な構造で遠心クラッチ機構１７を軸方向に位置決め支持できる。
本実施形態では、一側クラッチ軸受８０を支持するクラッチ一側支持壁４１ｄをクランク軸２８の左，右ジャーナル軸受３５，３６を支持する第１，第２クランク支持壁４０ｃ，４１ｃの間に位置させ、他側クラッチ軸受８１を支持するクラッチカバー（クラッチ他側支持壁）７１を右ジャーナル軸受３６を支持する第２クランク支持壁４１ｃのクランク軸方向外側に位置させたので、第１クランク支持壁４０ｃ，クラッチ一側支持壁４１ｄ同士及び第２クランク支持壁４１ｃ，クラッチカバー７１同士を同一線上に位置させる場合に比べてクランク軸２８と変速軸４７との軸間距離を短くしながらクラッチ室３８の容積を確保することができ、遠心クラッチ機構１７をコンパクトに収納でき、ひいてはエンジン全体をコンパクトにすることができる。
また上記第２ケース４１の開口４１ｅにクラッチカバー７１を着脱可能に取付けたので、変速機ケース４５及びクラッチカバー７１を外すことにより変速軸４７とともに遠心クラッチ機構１７を取り外すことができ、メンテナンスや部品交換作業を容易に行なうことができる。
本実施形態では、変速軸４７の反変速機ケース４５側に出力軸４８を同軸をなすように配置し、該出力軸４８に駆動スプロケット４９を装着したので、遠心クラッチ機構１７と駆動スプロケット４９とを同軸上に配置することができ、エンジンの前後方向寸法を小さくすることができる。
上記遠心クラッチ機構１７は従動プーリ５６のクランク軸方向内側に近接させて配置されている。より具体的には、クラッチ機構１７は、碗状のアウタクラッチ８３の開口付近のクランク軸方向位置がクランク軸２８の右側のクランクアーム２８ｂと重なるように配置されている。
上記遠心クラッチ機構１７は湿式多板式のもので、主として図１２〜図１５に示すように、上記アウタクラッチ８３のボス８３ｂを変速軸４７に共に回転するようにスプライン嵌合させ、該アウタクラッチ８３の軸方向内側にインナクラッチ８４を同軸配置し、該インナクラッチ８４のハブ部８４ａを上記一次減速小ギヤ７４に共に回転するようにスプライン嵌合させた概略構造を有している。なお、上記一次減速小ギヤ７４は変速軸４７に回転自在に装着されている。
上記アウタクラッチ８３内には複数枚のアウタクラッチ板８５が配置され、その両端に位置するように２枚の押圧プレート８６，８６が配置され、両者８５，８６は該アウタクラッチ８３と共に回転するように該アウタクラッチ８３に係止されている。また上記アウタクラッチ板８５及び押圧プレート８６の間にはインナクラッチ板８７が配置され、該各インナクラッチ板８７は上記インナクラッチ８４と共に回転するように該インナクラッチ８４の外周に係止されている。
上記アウタクラッチ８３の内側にはカム面８３ａが形成されており、該カム面８３ａと上記外側の押圧プレート８６との間にはウエイト８８が配設されている。このウエイト８８はアウタクラッチ８３の遠心力により半径方向外側に移動するに伴ってカム面８３ａにより図１２の図面左方（クラッチ接続方向）に移動し、押圧プレート８６を押圧移動させてアウタ，インナクラッチ板８５，８６同士を接続状態とする。なお、図１２において、遠心クラッチ機構１７の軸線より上側は遮断状態を、下側は接続状態を示している。
上記遠心クラッチ機構１７にはクラッチ板貼り付き防止機構９０が設けられている。この貼り付き防止機構９０は、上記各アウタクラッチ板８５の間及び該アウタクラッチ板８５と押圧プレート８６との間にアウタクラッチ板８５，押圧プレート８６を互いに離間させる方向に付勢する板ばね９１を介設して構成されている。
また上記各インナクラッチ板８７には該インナクラッチ板８７の軸方向移動を規制するピン９２が周方向に間隔をあけて挿通されており、各ピン９２の各インナクラッチ板８７の間には該インナクラッチ板８７同士を離間させる方向に付勢するコイルばね９３が装着されている。
本実施形態の遠心クラッチ機構１７では、ウエイト８８はエンジン回転が上昇するにつれて遠心力でクラッチ径方向外方に移動し、カム面８３ａによりその軸方向位置が決定される。そしてスロットル（不図示）の開操作によりエンジン回転が所定値以上になると上記ウエイト８８が押圧プレート８６を押圧移動させてアウタ，インナクラッチ板８５，８７を圧接させ、これによりエンジン回転が変速軸４７から減速歯車機構１８を介して出力軸４８に伝達され、該出力軸４８の回転により駆動スプロケット４９，チェーン５０を介して後輪７が回転駆動される。
スロットルの閉操作によるエンジン回転数の減少に伴ってウエイト８８が半径方向内方に移動し、エンジン回転数が所定値以下になるとウエイト８８による圧接力が解放され、上記アウタ，インナクラッチ板８５，８７が相対回転し、エンジン回転は変速軸４７と出力軸４８との間で遮断される。
そして上記クラッチ遮断時において、上記圧接力が解放されると板ばね９１の反力によってアウタクラッチ板８５，押圧プレート８６が互いに離間するとともに、コイルばね９３の反力によってインナクラッチ板８７同士が離反する。
これによりアウタ，インナクラッチ板８５，８７同士の潤滑油による貼付きを防止でき、クラッチの引きずり現象が防止される。
また各ピン９２によりインナクラッチ板８７の軸方向移動が規制されているので、クラッチ遮断時にインナクラック板８７が傾いたりするのを防止でき、この点からもクラッチの引きずり現象を防止できる。
次に上記エンジン２の潤滑油系統について説明する。
本潤滑油系統は、上記クランクケース２２の底部２２ａ形成された潤滑油室９５内の潤滑油をオイルポンプ９６により吸い込んで上記クランク軸２８，カム軸３１の軸受部及び摺動部等の被潤滑部に圧送供給し、該被潤滑部を潤滑した潤滑油を上記潤滑油室９５に自然落下により戻す構造となっている。
ここで上記潤滑油室９５は、クランク室３７の下方に位置しておりエンジン右側に膨出する膨出部２２ｂを備えている。この膨出部２２ｂは上記変速機ケース４５の下方に位置し、かつ該変速機ケース４５との間には隙間ｃが形成されている。上述の変速機ケース４５のクランクケース２２との空間ａは上記隙間ｃを関して外方に排出される。
このように本実施形態では、膨出部２２ｂを変速機ケース４５の下方に位置するように膨出形成したので、潤滑油室９５の全体としての幅方向中心Ｄはクランク軸方向右側に偏位している。また、上記潤滑油室９５の反変速機ケース側の側壁を構成する内側壁２２ｃのクランク軸方向位置は、上記クランク軸２８の左側のジャーナル軸受３５を支持する左ジャーナル支持壁４０ｃと略同じ位置となっている。
上記オイルポンプ９６は、主として図１１に示すように、上記潤滑油室９５の上記内側壁２２ｃに配置されている。このオイルポンプ９６のクランク軸方向位置は上記左ジャーナル支持壁４０ｃと発電機４２との間に位置している。上記オイルポンプ９６は、吸込口９７ａ，吐出口９７ｂを有するハウジング９７によりポンプ軸９６ａを軸支し、該ポンプ軸９６ａの外端部にポンプギヤ９８を装着した構造となっている。
上記第１ケース４０には上記吸込口９７ａに連通する吸込み通路４０ｆが形成され、該吸込み通路４０ｆはオイルストレーナ９９を介して潤滑油室９５内の底面上に開口している。また上記第１ケース４０には上記吐出口９７ｂに連通する潤滑油供給通路４０ｇが形成されている。この供給通路４０ｇはオイルフィルタ１００を通って上記発電機ケース４４に形成されたメイン供給通路４４ａに連通されており、該メイン供給通路４４ａの下流端は上記クランク軸２８の左端面に連通するオイル室４４ｃに接続されている。
上記クランク軸２８には上記オイル室４４ｃに連通するオイル通路２８ｅが軸心方向に形成されており、該オイル通路２８ｅは上記クランクピン２９に形成された分岐通路２９ａを介して該クランクピン２９とコンロッド２７との連結軸受部１０１に開口している。
ここで上記オイルフィルタ１００は、上記発電機ケース４４に凹設されたフィルタ室１００ａ内にエレメント１００ｂを収容配置し、該フィルタ室１００ａをフィルタカバー１００ｃで着脱可能に覆った構造のものである。上記フィルタ室１００ｂは、そのクランク軸方向位置が上記発電機４２と重なるように形成されており、フィルタカバー１００ｃは発電機ケース４４と略同じクランク軸方向位置に位置している。
また上記フィルタ室１００ａは、クランク軸方向に見た時、クランク軸２８及び変速軸４７の軸心を含む第１平面Ｃより下方で、さらに該第１平面Ｃと直交しかつクランク軸２８の軸心を含む第２平面Ｅと、上記第１平面Ｃと直交しかつ変速軸４７の軸心を含む第３平面Ｆとの間に設けられている。
さらにまた上記フィルタ室１００ａはクランク室３７の下方に位置し、クランク軸方向に見たとき上記潤滑油室９５とその一部において重なっている。
また上記クラッチ機構１７は、これのクランク軸方向位置が上記クランク軸２８の右側のクランクアーム２８ｂと少なくともその一部において重なるように上記変速軸４７に装着されており、かつ上記フィルタ室１００ａはその軸線がクラッチ機構１７の下縁近傍に、より詳細には該下縁より少し下方に位置し、クランク軸方向位置が上記クラッチ機構１７から左側に離反するように配置されている。なお、４４ｄは潤滑油の油面がＭＡＸ〜ＭＩＮにあることを確認するための油面チェック用窓である。
上記オイルポンプ９６により吸い込まれた潤滑油は供給通路４０ｇ，オイルフィルタ１００，メイン供給通路４４ａを通ってオイル通路２８ｅに圧送され、該オイル通路２８ｅから分岐通路２９ａを介して連結軸受部１０１に供給される。この連結軸受部１０１に供給された潤滑油は、供給油圧によって、及びクランク軸２８の遠心力によってクランク室３７内に飛散し、この飛散する潤滑油の一部は減速室３９内に進入して二次減速小ギヤ５２ａ，大ギヤ４８ａを潤滑し、この後潤滑油室９５内に落下する。
本実施形態によれば、クランクケース２２の底部２２ａに変速機ケース４５の下方に位置するように膨出部２２ｂを膨出形成したので、変速機ケース４５下方の空きスペースを有効利用して潤滑油室９５の潤滑油量を増やすことができ、ケース底部を深くして潤滑油量を確保する場合に比べ、エンジン２の高さ寸法を大きく必要がない。
またクランクケース２２の底部２２ａを変速機ケース４５の下方に膨出させたので、潤滑油室９５の表面積を増やすことができ、それだけ冷却性を高めることができ、さらにエンジン全体の重量バランスを良好にできる。
ここで本実施形態では、Ｖベルト５７を樹脂製とするとともに、変速機ケース４５をクランクケース２２とは独立したものとしたので、ゴム製ベルトを採用する場合に比べてベルト自体の耐熱性，耐久性を高めることができ、またエンジンからの熱影響を抑制することができる。その結果、駆動，従動プーリ５５，５６の小径化が可能となり、変速機ケース４５を小型化することができ、該変速機ケース４５の下方に空きスペースを設けることができ、その結果上記膨出部２２ｂを形成して潤滑油容量を大きくできたものである。
また本実施形態では、変速機ケース４５と反対側に位置する発電機ケース４４の側面にフィルタ室１００ａを、これのクランク軸方向位置が上記発電機４２と重なるように凹設したので、オイルフィルタ１００を発電機ケース４４から突出することなく配置でき、変速機ケース４５を備えていながらオイルフィルタ１００の配置によってエンジン幅が拡大するといった問題を回避できる。
また上記フィルタ室１００ａを、上記クランク軸２８及び変速軸４７の軸心を含む第１平面Ｃより下方で、かつ該第１平面Ｃと直交しかつクランク軸２８の軸心を含む第２平面Ｅと、上記第１平面Ｃと直交しかつ変速軸４７の軸心を含む第３平面Ｆとの間に設けたので、発電機ケース４４の変速機ケース４５と反対側部分にフィルタ室１００ａを凹設するスペースを確保でき、オイルフィルタ１００を発電機ケース４４から突出することなく配設できる。
さらにまたクラッチ機構１７を発電機ケース４４からクランク軸方向内方に奥まった位置に配置し、かつフィルタ室１００ａをクラッチ機構１７の下縁より下方に軸線が位置するように配置したので、フィルタ室１００ａの配置スペースをより一層確実に確保でき、オイルフィルタ１００を発電機ケース４４の側面から突出することなく配設できる。
また排気管２４を、上記変速機ケース４５の下方でかつ上記潤滑油室９５の側方を通って車両後方に延長したので、排気管２４を変速機ケース４５と反対側に配置されたフィルタ室１００ａと干渉することなく配置でき、オイルフィルタ１００の交換等のメンテナンス性を確保できる。
さらにまた潤滑油室９５をクランク室下方にかつ変速機ケース４５側に偏位させて配設したので、上記フィルタ室１００ａを、クランク軸方向に見た時上記潤滑油室９５と少なくともその一部が重なるように配置することが可能となり、フィルタ室１００ａの配置スペースを確保できる。
次に上記遠心クラッチ機構１７の潤滑構造について説明する。
上記遠心クラッチ機構１７は、主として図３，図７に示すように、クランク軸直角方向に見て、上記コンロッド２７とクランクピン２９との連結軸受部１０１からの潤滑油飛散領域内にその一部が重なるように位置している。具体的には、遠心クラッチ機構１７のアウタ，インナクラッチ板８５，８７がクランク室３７に臨む位置に配置されている。
そして上記クランク室３７とクラッチ室３８とを画成する第２外周壁４１ａには上記連結軸受部１０１から飛散した潤滑油を該クラッチ室３８内に導入する導入開口１０３が形成されている。
また上記クラッチ支持壁部４１ｄにはクラッチ室３８内側に延びるガイド部１０４が一体形成されている。このガイド部１０４は、クランク軸２８と変速軸４７とを結ぶ延長線上に位置し、上記導入開口１０３と概ね対向するよう縦方向に延びる潤滑油受け部１０４ａと、該潤滑油受け部１０４ａの下端に続いて変速軸４７の下方に回り込むようにして円弧状に延びる案内部１０４ｂとを有している。この案内部１０４ｂはインナクラッチ８４の円錐台形状をなすボス部分内に差し込まれるように位置している。
これにより導入開口１０３から進入した潤滑油をガイド部１０４により受け止めるとともに、上記遠心クラッチ機構１７の外周より内側部分により多く案内し、該クラッチ機構１７の遠心力でもって上記潤滑油がアウタ，インナクラッチ板８５，８７の間に供給されるとともに、一次減速大ギヤ７５，小ギヤ７４の噛合部に供給される（図３，図７の矢印参照）。
本実施形態の遠心クラッチ機構潤滑構造によれば、クランクピン２９とコンロッド大端部２７ａとの連結軸受部１０１に供給された潤滑油を遠心クラッチ機構１７に導くようにしたので、連結軸受部１０１から多量に噴出，飛散する潤滑油を遠心クラッチ機構１７に供給でき、特別な潤滑油経路を設ける必要がなく、かつ充分な潤滑油量を遠心クラッチ機構１７に供給でき、アウタ，インナクラッチ板８５，８７の焼き付きを防止できる。
本実施形態では、遠心クラッチ機構１７をクランク室３７から画成されたクラッチ室３８内に、かつクランク軸直角方向に見て、上記連結軸受部１０１からの潤滑油飛散領域内に位置するように配置し、該クラッチ室３８とクランク室３７とを画成する第２外周壁４１ａに潤滑油の進入を許容する導入開口１０３を形成したので、非常に簡単な構造でクランク室３７からの潤滑油を効果的にクラッチ室３８に導入することができる。
本実施形態では、クラッチ支持壁部４１ｄにクラッチ室３８内側に延びるガイド部１０４を一体形成し、該ガイド部１０４を、クランク軸２８と変速軸４７とを結ぶ延長線上に位置し上記導入開口１０３と概ね対向するよう延びる潤滑油受け部１０４ａと、該潤滑油受け部１０４ａの下端に続いて変速軸４７の下方に回り込むようにして円弧状に延びる案内部１０４ｂとから構成したので、アウタ，インナクラッチ板８５，８７に潤滑油をより確実に供給することができる。
次にキック式始動装置，セルモータ式始動装置からの回転力をクランク軸に伝達するキックギヤ列，セルギヤ列，及びクランク軸の回転をオイルポンプ，バランサ軸に伝達するポンプギヤ列，バランサギヤ列について説明する。
主として、図５，図９，図１０に示すように、キック始動装置のキック軸１１０は、変速機ケース上記出力軸４８の略垂直下方にはこれと平行に配設されている。またこのキック軸１１０は、クランク軸方向に見ると、上記クラッチ機構１７及び従動プーリ５６の両方にその一部が重なるように配置されている。
また上記キック軸１１０の上記駆動スプロケット４９より内側部分は第１ケース４０のボス部４０ｈにより軸支され、外側部分は発電機ケース４４に一対形成されたボス部４４ｂにより軸支されている。
上記キック軸１１０の外端部にはキックアーム１１１が装着され、内側端部にはキックギヤ１１２が軸方向にスライド可能にスプライン嵌合されている。このキックギヤ１１２は第１ケース４０内に位置している。また上記キック軸１１０の内端部には復帰ばね１１３が巻き付けられており、該復帰ばね１１３によりキック軸１１０は踏み込み位置に回動付勢されている。
上記キック軸１１０とクランク軸２８との間には主中間軸１１４，副中間軸１１５がそれぞれキック軸１１０と平行に配設されている。この主中間軸１１４は第１ケース４０と第２ケース４１とに架け渡して軸支されており、該主中間軸１１４には上記キックギヤ１１２に噛合可能な主中間ギヤ１１６が装着されている。
上記副中間軸１１５は第１ケース４０に形成された軸受け部４０ｊにより軸支されており、該副中間軸１１５の内，外端部はそれぞれ第１ケース４０の内側，外側に突出している。この副中間軸１１５のケース内側には上記主中間ギヤ１１６に噛合する第１中間ギヤ１１５ａが一体形成されており、ケース外側には第２中間ギヤ１１７が装着されている。この第２中間ギヤ１１７は後述する第１クランクギヤ１２１に噛合している。
このようにして上記キックギヤ１１２，主中間ギヤ１１６，第１中間ギヤ１１５ａ，第２中間ギヤ１１７により上記キック軸１１０の回転をクランク軸２８に伝達するキックギヤ列が構成されており、このキックギヤ列は、上記左側のジャーナル軸受３５を支持する第１支持壁４０ｂと発電機４２との間に配置されている。
そして上記キックギヤ１１２，主中間ギヤ１１６，及び第１中間ギヤ１１５ａは第１ケース４０内側の上記潤滑油室９５に連通する位置に配置されている。また上記第２中間ギヤ１１７，第１クランクギヤ１２１，及びカムスプロケット１２２は第１ケース４０の外側に配置されている。
上記キックアーム１１１を踏み込むことによりキック軸１１０が回転し、該回転に伴ってキックギヤ１１２が軸方向に移動して上記主中間ギヤ１１６に噛合し、第１，第２中間ギヤ１１５ａ，１１７を介して第１クランクギヤ１２１に伝達され、クランク軸２８が回転する。
上記クランク軸２８の左ジャーナル軸受３５と上記発電機４２のスリーブ４３との間には外側から順に一方向クラッチ１２０，上記第１クランクギヤ１２１，カムスプロケット１２２が装着されている。
上記一方向クラッチ１２０には始動ギヤ１２０ａが装着されており、該始動ギヤ１２０ａにはアイドラギヤ１２４を介してスタータモータ１２５の駆動ギヤ１２５ａが連結されている。このスタータモータ１２５はモータ軸線をクランク軸２８と平行に向けてクランクケース２２の前壁に配置固定されている。
上記駆動ギヤ１２５ａ，ドライブギヤ１２４及び始動ギヤ１２０ａによりスタータモータ１２５の回転をクランク軸２８に伝達するセルギヤ列が構成されている。このセルギヤ列は、上記右側のジャーナル軸受３５の支持壁と発電機４２との間に位置している。
本実施形態のキック装置によれば、キックギヤ１１２，主中間ギヤ１１６，及び第１中間ギヤ１１５ａを潤滑油室９５に連通する部分に位置させたので、これらのギヤの噛合部を十分に潤滑できる。
また、主中間軸１１５を第１ケース４０の内側から外側に貫通させ、キック軸１１０の回転を主中間軸１１５の内側から外側に伝達し、該外側の第２中間ギヤ１１７から第１クランクギヤ１２１を介してクランク軸２８に伝達したので、第１クランクギヤ１２１をクランクジャーナル部２８ｃより外側に配置させることができ、クランク軸受３５，３６の間隔を狭くでき、クランク軸２８をコンロッド２７による曲げモーメントを小さくして軸支できる。さらにまたカムスプロケット１２２，第２クランクギヤ１２７の配置スペースを確保することができ、クランク軸周りのレイアウトを容易に行なうことができる。即ち、キック軸１１０の回転を第１ケース４０内においてクランク軸２８に伝達するようにした場合、左のクランク軸受３５と左クランクアーム２８ａとの間にギヤが必要となり、左，右軸受３５，３６の間隔が広くなり、上記曲げモーメント上不利となる。
本実施形態では、上記キック軸１１０を出力軸４８の垂直方向略下方に配置したので、キックアーム１１１の踏み込み操作がし易いとともに、エンジン２の前後寸法を小さくすることができる。
また上記キック軸１１０の後輪駆動スプロケット４９の車幅方向内側をクランクケース２２の第１クラッチ支持壁部４０ｄにて軸支し、車幅方向外側を発電機ケース４４にて軸支し、該キック軸１１０の発電機ケース４４の外方突出端にキックアーム１１１を装着したので、キック軸１１０，ひいてはキックアーム１１１を後輪駆動スプロケット４９に干渉することなく最適な踏み込み位置に配置することができる。
上記キック軸１１０は、図４に示すように、クランク軸方向に見たとき、上記変速機ケース４５の特に従動スプロケット５６の軸方向投影面内で、かつ遠心クラッチ機構１７の軸方向投影面内に位置している。より具体的には、従動プーリ５６の略垂直下部に位置するように配置されている。
このようにキック軸１１０を変速機ケース４５の反対側に配置したので、該変速機ケース４５内にキック軸配置スペースを確保する必要なく、そのため上記無段変速機構１６の駆動プーリ５５と従動プーリ５６とは僅かな隙間ｂ（図３参照）が生じる程度に近接させて配置でき、それだけエンジンの前後長を小さくすることができる。
また上記キック軸１１０を変速機ケース４５のクランク軸方向投影面内に配置したので、キック軸１１０をクランク軸２８に近い位置で、かつ踏み込み易い位置に配置することができる。
本実施形態では、上記遠心クラッチ機構１７を従動プーリ５６のクランク軸方向内側近傍に配置し、上記キック軸１１０を遠心クラッチ機構１７の軸方向投影面内で、かつ変速軸４７の略垂直下方に配置したので、キック軸１１０を遠心クラッチ機構投影面内における空きスペースを利用して、かつ最も踏み込み易い位置に配置することができるとともに、エンジン２の前後長さを小さくすることができる。
上記クランク軸２８の後上方にはバランサ軸１２９が該クランク軸２８と平行に配設されている。このバランサ軸１２９は第１，第２ケース４０，４１にバランサ軸受１３０，１３１を介して軸支されている。該バランサ軸１２９の左端部は第１ケース４０から外側に突出しており、該突出部にはバランサギヤ１３２が結合されている。このバランサギヤ１３２の内周部にはダンパ部材１３３が介設されている。
ここで、上記バランサ軸受１３０，１３１内にクランク軸２８の左，右のクランクアーム２８ａ，２８ｂが位置し、かつバランサ軸１２９のバランサウエイト１２９ａは上記左，右のクランクアーム２８ａ，２８ｂの間で、かつクランクピン２９の回転軌跡に重なるようにクランク軸２８側に近接させて配置されている。これによりバランサ軸周りがコンパクトになっている。
上記クランク軸２８に圧入された第１クランクギヤ（第１駆動ギヤ）１２１には第２クランクギヤ（第２駆動ギヤ）１２７が共に回転するように装着されており、該第２クランクギヤ１２７に上記バランサギヤ（第２従動ギヤ）１３２が噛合している。より詳細には上記第２クランクギヤ１２７の内周面には内周歯１２７ａが形成されており、該内周歯１２７ａには上記第１クランクギヤ１２１の外周歯１２１ａが嵌合している（図６参照）。
上記第１クランクギヤ１２１，第２クランクギヤ１２７，バランサギヤ１３２によりクランク軸２８の回転をバランサギヤ１３２に伝達するバランサギヤ列が構成されている。このバランサギヤ列は、上記左側のジャーナル軸受３５を支持する支持壁と発電機４２との間に配置されている。
上記ポンプギヤ（第１従動ギヤ）９８には第２中間ギヤ１１７を介して上記第１クランクギヤ１２１が連結されている。このようにして第１クランクギヤ１２１，第２中間ギヤ１１７はキック始動とオイルポンプ駆動とに共用されており、この第１クランクギヤ１２１，第２中間ギヤ１１７，ポンプギヤ９８によりクランク軸２８の回転をオイルポンプ９６に伝達するポンプギヤ列が構成されている。このポンプギヤ列は上記左側のジャーナル軸受３５を支持する支持壁と発電機４２との間に配置されている。
また上記クランク軸２８に装着された一方向クラッチ１２０，第１クランクギヤ１２１，カムスプロケット１２２は上記クランク軸２８の左端部に螺装されたナット１２３を締め付けることにより上記スリーブ４３とジャーナル軸受３５とで軸方向移動不能に挟持されている。
本実施形態によれば、第１クランクギヤ１２１に噛合する第２中間ギヤ１１７をキック軸１１０の回転をクランク軸２８に伝達する場合と、クランク軸２８の回転をポンプギヤ９８に伝達する場合とに共用したので、それだけクランク軸長さを短くでき、エンジン幅をコンパクトにできる。
またクランク軸２８に圧入した第１クランクギヤ１２１に、第２クランクギヤ１２７の内周歯１２７ａを嵌合させるとともに、第２中間ギヤ１１７を噛合させるようにしたので、第１クランクギヤ１２１のクランク軸２８への圧入長さを十分に確保することができ、クランク軸２８の回転を確実にポンプギヤ９８，バランサギヤ１３２に伝達することができる。
本実施形態では、第１クランクギヤ１２１の外周歯１２１ａと第２クランクギヤ１２７の内周歯１２７ａとを嵌合させる構造を採用したので、第２クランクギヤ１２７の組み付けが容易であるとともに、メンテナンス時の取り外しを容易に行える。即ち、上記クランク軸２８のナット１２３を外してスリーブ４３，一方向クラッチ１２１を取り外すことにより、上記第２クランクギヤ１２７を第１クランクギヤ１２１から容易に取り外すことができる。
そして本エンジン２の上記各軸の配置構造は以下のようになっている。
クランク軸方向に見て、上記クランク軸２８の後方に変速軸４７，出力軸４８が略同一水平面上に配置されている。このクランク軸２８及び出力軸４８の軸心を含む第１平面Ｃの上側に上記バランサ軸１２９及び減速軸５２が配置されており、下側にキック軸１１０，ポンプ軸９６ａ，主，副中間軸１１４，１１５が配置されている。
また上記キック軸１１０は出力軸４８の略垂直下方に配置され、上記ポンプ軸９６ａはバランサ軸１２９の略垂直下方に配置されている。さらに上記主，副中間軸１１４，１１５はクランク軸２８とキック軸１１０とを結ぶ線上に配置されている。
本実施形態によれば、クランク軸２８及び出力軸４８を含む第１平面Ｃの上側にバランサ軸１２９を配置し、下側にキック軸１１０及びオイルポンプ９６のポンプ軸９６ａを配置したので、これらを上，下にバランス良く配置することができ、エンジンの大型化を回避できる。即ち、上記第１平面Ｃの上側でシリンダボアの後側に配置スペースを形成し、このスペースにバランサ軸１２９を配置している。そしてバランサ軸１２９はウエイト１２９ａが大きな回転軌跡を持って回転するので、潤滑油に浸漬した状態にあると潤滑油撹拌によるロス馬力が大きくなるが、本実施形態ではバランサ軸１２９が潤滑油を拡散することはない。また上記第１平面Ｃの上側でバランサ軸１２９と出力軸４８との間の空きスペースを利用して減速軸５２を配置している。この場合、潤滑油が供給されにくい上部に位置しているが、クランク軸２８のコンロッドの連結軸受部１０１から飛散する潤滑油が減速ギヤ７５等に供給されるので潤滑不足の問題はない。
また上記キック軸１１０を出力軸４８の略垂直方向下方に配置したので、エンジン２の前後長さを小さくすることができるとともに、キック軸１１０を踏み込み易い位置に配置することができる。
さらにまた潤滑油室９５を変速機ケース４５側に偏位するように配置し、キックギヤ列，ポンプギヤ列，セルギヤ列，及びクバランサギヤ列を、エンジンケースの潤滑油室９５より反変速機ケース４５側に偏位させて配置したので、より具体的には、左側のクランクジャーナル部を支持する第１支持壁４０ｂと発電機４２との間に位置するように配置したので、発電機４２と第１支持壁４０ｂとの間のスペースを有効利用して各種ギヤ列を配置でき、各種ギヤ列の配置スペースを確保でき、エンジン幅の拡大を回避できる。
また上記潤滑油室９５を、上記クランク室下方から上記変速機ケース下方に渡る領域に位置させたので、潤滑油室９５の必要な潤滑油容量を確保しながら潤滑油室９５の偏位配置を実現でき、これにより確実にギヤ列の配置スペースを確保できる。
また各種ギヤ列をクランクジャーナル部の第１支持壁４０ｂに沿って又は該支持壁４０ｂと発電機４２との間に配置したので、フィルタ室１００ａを変速機ケースと反対側に位置する発電機ケース４４の側面にクランク軸方向に見た時その少なくとも一部が上記何れかのギヤ列と重なるように配置することが可能となり、エンジン幅方向寸法，前後方向寸法をすることなくオイルフィルタ１００を配置できる。
産業上の利用可能性
請求項１の発明によれば、エンジンケースの変速機ケースと反対側の側面にフィルタ室を凹設し、該フィルタ室のクランク軸方向位置が上記発電機と少なくともその一部において重なるようにしたので、オイルフィルタをエンジンケースから突出することなく配置でき、変速機ケースを備えていながらオイルフィルタの配置によってエンジン幅が拡大するといった問題を回避できる。
また請求項２の発明では、上記フィルタ室を、上記クランク軸及び変速軸の軸心を含む第１平面より下方に設けたので、また請求項３の発明では、上記フィルタ室を、上記第１平面と直交しかつクランク軸の軸心を含む第２平面と、上記第１平面と直交しかつ変速軸の軸心を含む第３平面との間に設けたので、エンジンケースの変速機ケースと反対側部分にフィルタ室を凹設するスペースを確保でき、オイルフィルタをエンジンケースから突出することなく配設でき、エンジン幅の拡大を回避できる。
請求項４の発明では、クラッチ機構をクランク軸方向位置が上記クランク軸のクランクアームと少なくともその一部において重なるように、つまりクラッチ機構をエンジンケースの反変速機ケース側からクランク軸方向内方に奥まった位置に配置し、かつフィルタ室をクラッチ機構の下縁近傍に軸線が位置するように配置したので、フィルタ室の配置スペースをより一層確実に確保でき、オイルフィルタをエンジンケースの側面から突出することなく配設でき、エンジン幅の拡大を回避できる。
請求項５の発明によれば、排気官を、上記変速機ケースの下方でかつ上記エンジンケースの底部側方を通って車両後方に延長したので、排気管を変速機ケースと反対側に配置されたフィルタ室と干渉することなく配置でき、オイルフィルタの交換等のメンテナンス性を確保できる。
請求項６の発明によれば、潤滑油室をクランク室下方にかつ変速機ケース側に偏位させて配設したので、上記フィルタ室を、クランク軸方向に見た時上記潤滑油室と少なくともその一部が重なるように配置することが可能となり、フィルタ室の配置スペースを確保でき、オイルフィルタをエンジンケースから突出することなく配置できる。
請求項７の発明によれば、キック軸を上記変速機ケースの反対側に、変速軸及び出力軸より下方でかつ上記従動プーリ又はクラッチ機構の少なくとも一方と重なるように配置したので、また請求項８の発明では、キック軸を上記従動プーリ及びクラッチ機構の両方と重なるように配置したので、駆動プーリと従動プーリとの軸間距離を小さくすることができ、それだけエンジンの前後長を小さくすることができる。また上記キック軸を反変速機ケース側に配置したので、キック軸をクランク軸に近い位置で、かつ踏み込み易い位置に配置することができる。
請求項９の発明では、キックギヤ及び第１中間ギヤをエンジンケースの、変速機ケースと反対側のクランクジャーナル部を支持する支持壁部の内側に配置し、第２中間ギヤ及びクランクギヤは上記支持壁部の外側に配置したので、クランクギヤをクランクジャーナル部の外側直近に配置でき、変速機ケースを設けながらキックギヤ列の配置によるエンジン幅の拡大を回避できる。
請求項１０の発明では、潤滑油室を変速機ケース側に偏位するように配置し、キックギヤ列，ポンプギヤ列，セルギヤ列，及びクバランサギヤ列の少なくとも１組を、エンジンケースの潤滑油室より反変速機ケース側に偏位させて配置したので、潤滑油室の偏位配置によりエンジンケースの反変速機ケース側に各種ギヤ列の配置スペースを確保でき、エンジン幅の拡大を回避できる。
請求項１１の発明によれば、変速機ケースと反対側のジャーナル部を支持する支持壁部により上記潤滑油室の反変速機ケース側の側壁を構成し、上記キックギヤ列，ポンプギヤ列，セルギヤ列及びバランサギヤ列の少なくとも１組を上記支持壁部に沿って配置したので、潤滑油室の偏位配置によりエンジンケースの反変速機ケース側に各種ギヤ列の配置スペースをより一層確実に確保でき、エンジン幅の拡大を回避できる。
請求項１２の発明によれば、上記潤滑油室を、上記エンジンケースのクランク室下方から上記変速機ケース下方に渡る領域に位置させたので、潤滑油室の必要な潤滑油容量を確保しながら潤滑油室の偏位配置を実現でき、これにより確実にギヤ列の配置スペースを確保でき、ひいてはエンジン幅の拡大を回避できる。
請求項１３の発明によれば、上記クランク軸の反変速機ケース側端部に発電機を装着し、上記キックギヤ列，ポンプギヤ列，セルギヤ列及びバランサギヤ列の少なくとも１組を、上記発電機と上記他側支持壁部との間を通ってクランク軸に連結したので、発電機と支持壁部との間のスペースを有効利用して各種ギヤ列を配置でき、ひいてはエンジン幅の拡大，エンジン長手方向寸法の拡大を回避できる。
請求項１４の発明では、各種ギヤ列をクランクジャーナル部の支持壁に沿って又は該支持壁と発電機との間に配置し、フィルタ室をエンジンケースの変速機ケースと反対側の側面にクランク軸方向位置が上記発電機と重なるように凹設したので、さらに請求項１５の発明では、フィルタ室を、クランク軸方向に見た時その少なくとも一部が上記何れかのギヤ列と重なるように配置したので、エンジンケースの一側に変速機ケースを備えている場合に、反変速機ケース側に配置されたギヤ列と干渉することなくフィルタ室を凹設でき、エンジン幅を拡大することなくオイルフィルタを配置できる。
請求項１６の発明では、キックギヤ及び第１中間ギヤを上記他側支持壁部の内側に配置し、第２中間ギヤ及びクランクギヤを上記他側支持壁部の外側に配置したので、クランクギヤをクランクジャーナル部の外側直近に配置でき、変速機ケースを設けながらキックギヤ列の配置によるエンジン幅の拡大を回避できる。
請求項１７の発明によれば、変速機ケース側に偏位した潤滑油室の側壁を構成する部位に潤滑油ポンプを装着したので、潤滑油ポンプを支障なくクランク軸方向内側の奥まった位置に配置でき、エンジン幅の拡大を回避できる。
【図面の簡単な説明】
図１は、本発明の一実施形態によるエンジンが搭載された自動二輪車の左側面図である。
図２は、上記エンジンの展開状態を示す断面平面図（図６のＩＩ−ＩＩ線断面図）である。
図３は、上記エンジンの無段変速機構，遠心クラッチ機構部分の断面平面図である。
図４は、上記エンジンの右側面図である。
図５は、上記エンジンの左側面図である。
図６は、上記エンジンの無段変速機構，遠心クラッチ機構を取り外した状態の右側面図である。
図７は、上記エンジンのクランクケースの右側面図である。
図８は、上記クランクケースの断面背面図（図５のＶＩＩＩ−ＶＩＩＩ線断面図）である。
図９は、上記エンジンのキック装置の断面平面図（図５のＩＸ−ＩＸ線断面図）である。
図１０は、上記キック装置の断面背面図である。
図１１は、上記エンジンの潤滑油経路を示す断面背面図である。
図１２は、上記遠心クラッチ機構の断面図である。
図１３は、上記遠心クラッチ機構の側面図である。
図１４は、上記遠心クラッチ機構の要部の拡大断面図である。
図１５は、上記遠心クラッチ機構の要部の拡大断面図である。
図１６は、上記クランクケースの左側面図である。
図１７は、従来の一般的な従動プーリの断面図である。
【図１】
2003085241.tif 000003
【図２】
2003085241.tif 000004
【図３】
2003085241.tif 000005
【図４】
2003085241.tif 000006
【図５】
2003085241.tif 000007
【図６】
2003085241.tif 000008
【図７】
2003085241.tif 000009
【図８】
2003085241.tif 000010
【図９】
2003085241.tif 000011
【図１０】
2003085241.tif 000012
【図１１】
2003085241.tif 000013
【図１２】
2003085241.tif 000014
【図１３】
2003085241.tif 000015
【図１４】
2003085241.tif 000016
【図１５】
2003085241.tif 000017
【図１６】
2003085241.tif 000018
【図１７】
2003085241.tif 000019
【国際調査報告】
2003085241.tif 000020
2003085241.tif 000021